(57)【要約】      （修正有）【課題】好適なバッチ式炭化処理装置を提供する。【解決手段】バッチ式炭化処理装置１は、上部が開口し、立設すると共に、内部に燃焼される被燃焼物１０を収納するスペースを有する容器２と、容器２内の下方に設けられ、被燃焼物１０を支持すると共に、空気の通気孔を有する支持部材２３と、容器２の下方に設けられると共に、フォークリフトの二本の爪が係止される下部被係止部２２と、容器２内であって支持部材２３の下方に形成された下部空間２ｂと外気を連絡する外気連絡通路２４と、この外気連絡通路２４を開閉する外気連絡通路開閉手段２５と、容器２の上部に開口した上部開口部２ａを覆う蓋部３１、該蓋部３１に取り付けられた開閉窓、蓋部３１に一体的に取り付けられた煙突３３を有した上部体３と、この上部体３に設けられると共に、フォークリフトの二本の爪が係止される上部被係止部３４とを備えている。【選択図】図４
2011213927.tif 000002
【特許請求の範囲】
【請求項１】
上部が開口し、立設すると共に、内部に燃焼される被燃焼物を収納するスペースを有する容器と、
この容器内の下方に設けられ、前記被燃焼物を支持すると共に、空気の通気孔を有する支持部材と、
前記容器の下方に設けられると共に、フォークリフトの二本の爪が係止される下部被係止部と、
前記容器内であって前記支持部材の下方に形成された下部空間と外気を連絡する外気連絡通路と、
この外気連絡通路を開閉する外気連絡通路開閉手段と、
前記容器の上部に開口した上部開口部を覆う蓋部、該蓋部に取り付けられた開閉窓、
前記蓋部に一体的に取り付けられた煙突を有した上部体と、
この上部体に設けられると共に、前記フォークリフトの二本の爪が係止される上部被係止部とを備えている
ことを特徴とするバッチ式炭化処理装置。
【請求項２】
容器の上部開口部の外側縁部には、上方に開口した環状の溝部を有し、
煙突は、一方の先端が外気に、他方の先端が前記溝部に、それぞれ臨むと共に、上方に向かうようにした通路と、一端が蓋部に連通して接続されると共に、他端が前記通路内に臨むように前記通路に連通して接続された連絡通路とを有し、
被燃焼物から発生する排煙は、前記連絡通路、前記通路を介して外気に導かれ、
前記被燃焼物から発生する排煙が外気により冷却して得られる液を回収する液回収容器を有し、
一端が前記環状の溝部に連通し、他端が前記液回収容器に臨んで、前記液を案内する
液案内通路を備えている
ことを特徴とする請求項１記載のバッチ式炭化処理装置。
【請求項３】
容器の上部開口部の外側縁部には、上方に開口した環状の溝部を有し、
煙突は、一方の先端が外気に、他方の先端が前記溝部に、それぞれ臨むと共に、上方に向かうように斜めに傾斜した傾斜通路と、一端が蓋部に連通して接続されると共に、他端が前記傾斜通路内に臨むように前記傾斜通路に連通して接続された連絡通路とを有し、    被燃焼物から発生する排煙は、前記連絡通路、前記傾斜通路を介して外気に導かれ、前記被燃焼物から発生する排煙が外気により冷却して得られる液を回収する液回収容器を有し、
一端が前記環状の溝部に連通し、他端が前記液回収容器に臨んで、前記液を案内する液案内通路を備えている
ことを特徴とする請求項１記載のバッチ式炭化処理装置。
【請求項４】
上部が開口し、立設すると共に、内部に燃焼される被燃焼物を収納するスペースを有する容器と、
この容器内の下方に設けられ、前記被燃焼物を支持すると共に、空気の通気孔を有する支持部材と、
この支持部材の下方に形成された前記容器内の下部空間と外気を連絡する外気連絡通路と、
この外気連絡通路を開閉する外気連絡通路開閉手段と、
前記容器の上部に開口した上部開口部を覆う蓋部、該蓋部に取り付けられた開閉窓、
前記蓋部に一体的に取り付けられた煙突を有した上部体とを備え、
立設する前記容器の前記上部開口部を覆う前記蓋部を前記上部開口部から前記被燃焼物の投入が可能な程度に前記上部開口部を開放するように前記上部体を移動させ、
移動後、前記上部開口部から前記容器内に前記被燃焼物を投入し、
投入後、前記容器の前記上部開口部を前記蓋部で覆うように前記上部体を移動させ、
移動後、前記開閉窓を介して種火を投入して最上部の前記被燃焼物を着火又は前記開閉窓を介して外部より最上部の前記被燃焼物を着火させ、
この着火後にあっては、少なくとも、前記外気連絡通路開閉手段により前記外気連絡通路を開いた状態にあって、前記被燃焼物の燃焼を上部から前記支持部材に向かって燃焼させ、
該燃焼が前記支持部材の近傍に達した時、前記外気連絡通路開閉手段により前記外気連絡通路を閉じて、前記被燃焼物の燃焼を抑制して、前記被燃焼物を炭化させ、
炭化後、前記上部開口部を覆う前記蓋部を前記上部開口部から前記被燃焼物の取り出しが可能な程度に前記上部開口部を開放するように前記上部体を移動させ、
移動後、前記上部開口部から炭化した前記被燃焼物を取り出す
ことを特徴とするバッチ式炭化処理方法。
【請求項５】
上部が開口し、立設すると共に、内部に燃焼される被燃焼物を収納するスペースを有する容器と、
この容器内の下方に設けられ、前記被燃焼物を支持すると共に、空気の通気孔を有する支持部材と、
前記容器内であって前記支持部材の下方に形成された下部空間と外気を連絡する外気連絡通路と、
この外気連絡通路を開閉する外気連絡通路開閉手段と、
前記容器の上部に開口した上部開口部を覆う蓋部、該蓋部に一体的に取り付けられた煙突を有した上部体とを備え、
立設する前記容器の前記上部開口部を覆う前記蓋部を前記上部開口部から前記被燃焼物の投入が可能な程度に前記上部開口部を開放するように前記上部体を移動させ、
移動後、前記上部開口部から前記容器内に前記被燃焼物を投入し、
投入後、最上部の前記被燃焼物を着火させ、
着火後、前記容器の前記上部開口部を前記蓋部で覆うように前記上部体を移動させ、
前記上部体の移動後にあっては、少なくとも、前記外気連絡通路開閉手段により前記外気連絡通路を開いた状態にあって、前記被燃焼物の燃焼を上部から前記支持部材に向かって燃焼させ、
該燃焼が前記支持部材の近傍に達した時、前記外気連絡通路開閉手段により前記外気連絡通路を閉じて、前記被燃焼物の燃焼を抑制して、前記被燃焼物を炭化させ、
炭化後、前記上部開口部を覆う前記蓋部を前記上部開口部から前記被燃焼物の取り出しが可能な程度に前記上部開口部を開放するように前記上部体を移動させ、
移動後、前記上部開口部から炭化した前記被燃焼物を取り出す
ことを特徴とするバッチ式炭化処理方法。
【請求項６】
容器の上部開口部の外側縁部には、上方に開口した環状の溝部を有し、
煙突は、一方の先端が外気に、他方の先端が前記溝部に、それぞれ臨むと共に、上方に向かうようにした通路と、一端が蓋部に連通して接続されると共に、他端が前記通路内に臨むように前記通路に連通して接続された連絡通路とを有し、
被燃焼物から発生する排煙は、前記連絡通路、前記通路を介して外気に導かれ、
前記被燃焼物から発生する排煙が外気により冷却して得られる液を回収する液回収容器を有し、
一端が前記環状の溝部に連通し、他端が前記液回収容器に臨んで、前記液を案内する
液案内通路を備えている
ことを特徴とする請求項４又は５記載のバッチ式炭化処理方法。
【請求項７】
容器の上部開口部の外側縁部には、上方に開口した環状の溝部を有し、
煙突は、一方の先端が外気に、他方の先端が前記溝部に、それぞれ臨むと共に、上方に向かうように斜めに傾斜した傾斜通路と、一端が蓋部に連通して接続されると共に、他端が前記傾斜通路内に臨むように前記傾斜通路に連通して接続された連絡通路とを有し、
被燃焼物から発生する排煙は、前記連絡通路、前記傾斜通路を介して外気に導かれ、
前記被燃焼物から発生する排煙が外気により冷却して得られる液を回収する液回収容器を有し、
一端が前記環状の溝部に連通し、他端が前記液回収容器に臨んで、前記液を案内する
液案内通路を備えている
ことを特徴とする請求項４又は５記載のバッチ式炭化処理方法。
【発明の詳細な説明】
【技術分野】
【０００１】
本発明は、バッチ式炭化処理装置及びバッチ式炭化処理方法に係り、特に、好適なバッチ式炭化処理装置及びバッチ式炭化処理方法に関する。
【背景技術】
【０００２】
バッチ式炭化処理装置として、例えば、籾殻燻炭装置にあっては、籾殻供給用の開口部を開けて所定量の籾殻を保熱用容器（４）内に入れてヒータ（５）により電気的に籾殻に着火させ、籾殻が着火した後、所定日数放置する。この間、籾殻は保熱用容器（４）内の限られた酸素のみで燃焼するため灰にならず、燻炭となるとしたものである。（例えば、特許文献１参照）。
【先行技術文献】
【特許文献】
【０００３】
【特許文献１】特開平５−１７７７８号公報
【発明の概要】
【発明が解決しようとする課題】
【０００４】
しかしながら、上記特許文献に記載のものにあっては、籾殻は保熱用容器（４）内の限られた酸素のみで燃焼するため、外部から酸素を供給できず、酸素不足により燻炭とならず、籾殻の一部がそのまま残存するという問題点があった。
【０００５】
本発明は、上記の問題点を防ぐようにしたバッチ式炭化処理装置及びバッチ式炭化処理方法を提供することを目的とする。
【課題を解決するための手段】
【０００６】
請求項１記載のバッチ式炭化処理装置は、上部が開口し、立設すると共に、内部に燃焼される被燃焼物を収納するスペースを有する容器と、この容器内の下方に設けられ、前記被燃焼物を支持すると共に、空気の通気孔を有する支持部材と、前記容器の下方に設けられると共に、フォークリフトの二本の爪が係止される下部被係止部と、前記容器内であって前記支持部材の下方に形成された下部空間と外気を連絡する外気連絡通路と、この外気連絡通路を開閉する外気連絡通路開閉手段と、前記容器の上部に開口した上部開口部を覆う蓋部、該蓋部に取り付けられた開閉窓、前記蓋部に一体的に取り付けられた煙突を有した上部体と、この上部体に設けられると共に、前記フォークリフトの二本の爪が係止される上部被係止部とを備えているものである。
【０００７】
また、請求項２記載のバッチ式炭化処理装置は、請求項１記載のバッチ式炭化処理装置において、容器の上部開口部の外側縁部には、上方に開口した環状の溝部を有し、煙突は、一方の先端が外気に、他方の先端が前記溝部に、それぞれ臨むと共に、上方に向かうようにした通路と、一端が蓋部に連通して接続されると共に、他端が前記通路内に臨むように前記通路に連通して接続された連絡通路とを有し、被燃焼物から発生する排煙は、前記連絡通路、前記通路を介して外気に導かれ、前記被燃焼物から発生する排煙が外気により冷却して得られる液を回収する液回収容器を有し、一端が前記環状の溝部に連通し、他端が前記液回収容器に臨んで、前記液を案内する液案内通路を備えているものである。
【０００８】
また、請求項３記載のバッチ式炭化処理装置は、請求項１記載のバッチ式炭化処理装置において、容器の上部開口部の外側縁部には、上方に開口した環状の溝部を有し、煙突は、一方の先端が外気に、他方の先端が前記溝部に、それぞれ臨むと共に、上方に向かうように斜めに傾斜した傾斜通路と、一端が蓋部に連通して接続されると共に、他端が前記傾斜通路内に臨むように前記傾斜通路に連通して接続された連絡通路とを有し、被燃焼物から発生する排煙は、前記連絡通路、前記傾斜通路を介して外気に導かれ、前記被燃焼物から発生する排煙が外気により冷却して得られる液を回収する液回収容器を有し、一端が前記環状の溝部に連通し、他端が前記液回収容器に臨んで、前記液を案内する液案内通路を備えているものである。
【０００９】
また、請求項４記載のバッチ式炭化処理方法は、上部が開口し、立設すると共に、内部に燃焼される被燃焼物を収納するスペースを有する容器と、この容器内の下方に設けられ、前記被燃焼物を支持すると共に、空気の通気孔を有する支持部材と、この支持部材の下方に形成された前記容器内の下部空間と外気を連絡する外気連絡通路と、この外気連絡通路を開閉する外気連絡通路開閉手段と、前記容器の上部に開口した上部開口部を覆う蓋部、該蓋部に取り付けられた開閉窓、前記蓋部に一体的に取り付けられた煙突を有した上部体とを備え、立設する前記容器の前記上部開口部を覆う前記蓋部を前記上部開口部から前記被燃焼物の投入が可能な程度に前記上部開口部を開放するように前記上部体を移動させ、移動後、前記上部開口部から前記容器内に前記被燃焼物を投入し、投入後、前記容器の前記上部開口部を前記蓋部で覆うように前記上部体を移動させ、移動後、前記開閉窓を介して種火を投入して最上部の前記被燃焼物を着火又は前記開閉窓を介して外部より最上部の前記被燃焼物を着火させ、この着火後にあっては、少なくとも、前記外気連絡通路開閉手段により前記外気連絡通路を開いた状態にあって、前記被燃焼物の燃焼を上部から前記支持部材に向かって燃焼させ、該燃焼が前記支持部材の近傍に達した時、前記外気連絡通路開閉手段により前記外気連絡通路を閉じて、前記被燃焼物の燃焼を抑制して、前記被燃焼物を炭化させ、炭化後、前記上部開口部を覆う前記蓋部を前記上部開口部から前記被燃焼物の取り出しが可能な程度に前記上部開口部を開放するように前記上部体を移動させ、移動後、前記上部開口部から炭化した前記被燃焼物を取り出すものである。
【００１０】
また、請求項５記載のバッチ式炭化処理方法は、上部が開口し、立設すると共に、内部に燃焼される被燃焼物を収納するスペースを有する容器と、この容器内の下方に設けられ、前記被燃焼物を支持すると共に、空気の通気孔を有する支持部材と、前記容器内であって前記支持部材の下方に形成された下部空間と外気を連絡する外気連絡通路と、この外気連絡通路を開閉する外気連絡通路開閉手段と、前記容器の上部に開口した上部開口部を覆う蓋部、該蓋部に一体的に取り付けられた煙突を有した上部体とを備え、立設する前記容器の前記上部開口部を覆う前記蓋部を前記上部開口部から前記被燃焼物の投入が可能な程度に前記上部開口部を開放するように前記上部体を移動させ、移動後、前記上部開口部から前記容器内に前記被燃焼物を投入し、投入後、最上部の前記被燃焼物を着火させ、着火後、前記容器の前記上部開口部を前記蓋部で覆うように前記上部体を移動させ、前記上部体の移動後にあっては、少なくとも、前記外気連絡通路開閉手段により前記外気連絡通路を開いた状態にあって、前記被燃焼物の燃焼を上部から前記支持部材に向かって燃焼させ、該燃焼が前記支持部材の近傍に達した時、前記外気連絡通路開閉手段により前記外気連絡通路を閉じて、前記被燃焼物の燃焼を抑制して、前記被燃焼物を炭化させ、炭化後、前記上部開口部を覆う前記蓋部を前記上部開口部から前記被燃焼物の取り出しが可能な程度に前記上部開口部を開放するように前記上部体を移動させ、移動後、前記上部開口部から炭化した前記被燃焼物を取り出すものである。
【００１１】
また、請求項６記載のバッチ式炭化処理方法は、請求項４又は５記載のバッチ式炭化処理方法において、容器の上部開口部の外側縁部には、上方に開口した環状の溝部を有し、煙突は、一方の先端が外気に、他方の先端が前記溝部に、それぞれ臨むと共に、上方に向かうようにした通路と、一端が蓋部に連通して接続されると共に、他端が前記通路内に臨むように前記通路に連通して接続された連絡通路とを有し、被燃焼物から発生する排煙は、前記連絡通路、前記通路を介して外気に導かれ、前記被燃焼物から発生する排煙が外気により冷却して得られる液を回収する液回収容器を有し、一端が前記環状の溝部に連通し、他端が前記液回収容器に臨んで、前記液を案内する液案内通路を備えているものである。
【００１２】
また、請求項７記載のバッチ式炭化処理方法は、請求項４又は５記載のバッチ式炭化処理方法において、容器の上部開口部の外側縁部には、上方に開口した環状の溝部を有し、煙突は、一方の先端が外気に、他方の先端が前記溝部に、それぞれ臨むと共に、上方に向かうように斜めに傾斜した傾斜通路と、一端が蓋部に連通して接続されると共に、他端が前記傾斜通路内に臨むように前記傾斜通路に連通して接続された連絡通路とを有し、被燃焼物から発生する排煙は、前記連絡通路、前記傾斜通路を介して外気に導かれ、前記被燃焼物から発生する排煙が外気により冷却して得られる液を回収する液回収容器を有し、一端が前記環状の溝部に連通し、他端が前記液回収容器に臨んで、前記液を案内する液案内通路を備えているものである。
【発明の効果】
【００１３】
請求項１記載のバッチ式炭化処理装置によれば、フォークリフトの二本の爪を上部被係止部に係止して、容器の上部開口部から被燃焼物の投入が可能な程度に上部開口部を開放するように上部体を移動させ、移動後、上部開口部から被燃焼物を投入することができ、
しかも、投入後、容器の上部開口部を蓋部で覆うように上部体を移動させ、移動後、上部体の開閉窓を介して種火を投入して最上部の被燃焼物を着火又は開閉窓を介して外部より最上部の被燃焼物を着火させ、着火後にあっては、少なくとも、外気連絡通路開閉手段により外気連絡通路を開いた状態とし、被燃焼物の燃焼を上部から支持部材に向かって燃焼させ、該燃焼が支持部材の近傍に達した時、外気連絡通路を閉じて、被燃焼物の燃焼を抑制して、被燃焼物を全体に亘って炭化させることができ、
更に、炭化後、上部開口部を覆う蓋部を上部開口部から被燃焼物の取り出しが可能な程度に上部開口部を開放するように上部体を移動させ、移動後、上部開口部から炭化した被燃焼物を取り出すことができ、好適なバッチ式炭化処理装置を得ることができる。
【００１４】
また、請求項３記載のバッチ式炭化処理装置によれば、上述した請求項１記載の発明の効果に加え、煙突は、一方の先端が外気に、他方の先端が溝部に、それぞれ臨むと共に、上方に向かうように斜めに傾斜した傾斜通路と、一端が蓋部に連通して接続されると共に、他端が傾斜通路内に臨むように傾斜通路に連通して接続された連絡通路とを有しているため、連絡通路からの燃焼ガスは、傾斜通路に衝突し、衝突した分、抵抗となり、燃焼ガスの煙突内の滞留時間が増加し、その分、外気と熱交換して被燃焼物から発生する排煙をより多く液化することができ、しかも、上部体と容器を分離しても、傾斜通路の他方の先端が溝部に臨む構成、つまり、上部体と容器とが別体であるため、上部体と容器を分離しても支障を生じない等の効果を奏する。
【００１５】
また、請求項４記載のバッチ式炭化処理方法によれば、容器の上部開口部から被燃焼物の投入が可能な程度に上部開口部を開放するように上部体を移動させ、移動後、上部開口部から被燃焼物を投入することができ、
しかも、投入後、容器の上部開口部を蓋部で覆うように上部体を移動させ、移動後、上部体の開閉窓を介して種火を投入して最上部の被燃焼物を着火又は開閉窓を介して外部より最上部の被燃焼物を着火させ、該着火後にあっては、少なくとも、外気連絡通路開閉手段により外気連絡通路を開いた状態にあって、被燃焼物の燃焼を上部から支持部材に向かって燃焼させ、該燃焼が支持部材の近傍に達した時、外気連絡通路を閉じて、被燃焼物の燃焼を抑制して、被燃焼物を全体に亘って炭化させることができ、
更に、炭化後、上部開口部を覆う蓋部を上部開口部から被燃焼物の取り出しが可能な程度に上部開口部を開放するように上部体を移動させ、移動後、上部開口部から炭化した被燃焼物を取り出すことができ、バッチ式で炭化処理を施すことができる。
【００１６】
また、請求項５記載のバッチ式炭化処理方法によれば、容器の上部開口部から被燃焼物の投入が可能な程度に上部開口部を開放するように上部体を移動させ、移動後、上部開口部から容器内に被燃焼物を投入することができ、
しかも、投入後、最上部の前記被燃焼物を着火させ、着火後、前記容器の前記上部開口部を前記蓋部で覆うように前記上部体を移動させ、該移動後にあっては、少なくとも、外気連絡通路開閉手段により外気連絡通路を開いた状態にあって、被燃焼物の燃焼を上部から支持部材に向かって燃焼させ、該燃焼が支持部材の近傍に達した時、外気連絡通路開閉手段により外気連絡通路を閉じて、被燃焼物の燃焼を抑制して、被燃焼物を全体に亘って炭化させることができ、
更に、炭化後、上部開口部を覆う蓋部を上部開口部から被燃焼物の取り出しが可能な程度に上部開口部を開放するように上部体を移動させ、移動後、上部開口部から炭化した被燃焼物を取り出すことができ、バッチ式で炭化処理を施すことができる。
【００１７】
また、請求項７記載のバッチ式炭化処理方法によれば、上述した請求項４又は５記載の発明の効果に加え、煙突は、一方の先端が外気に、他方の先端が溝部に、それぞれ臨むと共に、上方に向かうように斜めに傾斜した傾斜通路と、一端が蓋部に連通して接続されると共に、他端が傾斜通路内に臨むように傾斜通路に連通して接続された連絡通路とを有しているため、連絡通路からの燃焼ガスは、傾斜通路に衝突し、衝突した分、抵抗となり、燃焼ガスの煙突内の滞留時間が増加し、その分、外気と熱交換して被燃焼物から発生する排煙をより多く液化することができ、しかも、上部体と容器を分離しても、傾斜通路の他方の先端が溝部に臨む構成、つまり、上部体と容器とが別体であるため、上部体と容器を分離しても支障を生じない等の効果を奏する。
【図面の簡単な説明】
【００１８】
【図１】図１は、容器から上部体を外し、被燃焼物を入れる状態を示す本発明の一実施例のバッチ式炭化処理装置の概略的正面図である。
【図２】図２は、図１の矢印Ａ方向から見た概略的図である。
【図３】図３は、図１の矢印Ｂ方向から見た概略的図である。
【図４】図４は、図１のバッチ式炭化処理装置の燃焼状態を示す概略的正面図である。
【図５】図５は、図４のバッチ式炭化処理装置の上部体を外し、フォークリフトの二つの爪を下部被係止部に係止した状態を示す概略的図である。
【図６】図６は、図５の状態のバッチ式炭化処理装置の容器を回転させた状態を示す概略的図である。
【発明を実施するための形態】
【００１９】
本発明の一実施例のバッチ式炭化処理装置及びバッチ式炭化処理方法を図面を参照して説明する。
図１において、１はバッチ式炭化処理装置であって、バッチ式炭化処理装置１は、上部が開口し、立設すると共に、内部に燃焼される被燃焼物１０を収納するスペースを有する容器２と、この容器２内の上部に開口した上部開口部２ａを覆う蓋部３１、該蓋部３１に取り付けられた開閉窓３２、蓋部３１に一体的に取り付けられた煙突３３を有した上部体３とから概略的に構成され、被燃焼物１０の燃焼を抑制して、被燃焼物１０を炭化させる装置で、被燃焼物１０から発生する排煙を冷却して液として回収するものである。
なお、被燃焼物１０は、針葉樹、オガ屑、樹皮、稲藁、籾殻、果樹剪定枝等であり、本実施例では、籾殻であり、回収する液は、籾殻から発生する排煙を外気により冷却して得られる籾酸液である。
【００２０】
図１に示す２１は、容器２を支える架台で、この架台２１により容器２は立設している。２２、２２は、フォークリフトの二本の爪Ｆに係止される下部被係止部で、下部被係止部２２、２２は、容器２の下方に設けられている。下部被係止部２２、２２は、より具体的には、架台２１に取り付けられている。
また、図４に示す２３は、空気の通気孔を有する支持部材で、支持部材２３は、容器２内の下方に設けられ、被燃焼物１０を支持するものである。
また、図１及び図４に示す２４は、容器２内であって支持部材２３の下方に形成された下部空間２ｂと外気を連絡する外気連絡通路である。外気連絡通路２４は、外気連絡通路開閉手段２５により手動又は電動により開閉するようになっている。
また、図４に示す２６、２７は、磁石（例えば、ネオジュウム）で、磁石２６、磁石２７は、外気連絡通路２４を介して対向するように設けられ、例えば、磁石２６と磁石２７が反発するように、例えば、Ｎ極とＮ極又はＳ極とＳ極のよう設置され、粘着テープ（図示せず）を介して取り付けられている。
また、図２及び図４に示す２８は、容器２の上部開口部２ａの外側縁部には、上方に開口した環状の溝部である。
【００２１】
図１及び図４に示す３４、３４は、フォークリフトの二本の爪Ｆが係止される上部被係止部で、上部被係止部３４、３４は、上部体３に設けられている。
また、煙突３３は、図３及び図４に示すように、一方の先端が外気に、他方の先端が溝部２８に、それぞれ臨むと共に、上方に向かうようにした通路３３ａと、一端が蓋部３１に連通して接続されると共に、他端が通路３３ａ内に臨むように通路３３ａに連通して接続された連絡通路３３ｂとを有している。なお、通路３３ａは、望ましくは、図４に示すように、上方に向かうように斜めに傾斜した傾斜通路３３ａが良い。かかる場合、煙突３３は、傾斜通路３３ａと、一端が蓋部３１に連通して接続されると共に、他端が傾斜通路３３ａ内に臨むように傾斜通路３３ａに連通して接続された連絡通路３３ｂとを有することとなる。
また、１１は、被燃焼物１０から発生する排煙が外気により冷却して得られる液を回収する液回収容器で、１２は、液を案内する液案内通路で、液案内通路１２は、一端が環状の溝部２８に連通し、他端が液回収容器１１に臨む構成になっている。
その結果、被燃焼物１０から発生する排煙は、連絡通路３３ｂ、傾斜通路３３ａを介して外気に導かれ、その際、連絡通路３３ｂからの燃焼ガスは、傾斜通路３３ａに衝突し、衝突した分、抵抗となり、燃焼ガスの煙突３３内の滞留時間が増加し、その分、外気と熱交換して被燃焼物１０から発生する排煙をより多く液化することができ、該液は、傾斜通路３３ａ、溝部２８、液案内通路１２を介して液回収容器１１へと導かれるようになっている。
【００２２】
次に、上述したバッチ式炭化処理装置１の作用について、説明すると、立設する容器２の上部開口部２ａを覆う蓋部３１を上部開口部２ａから被燃焼物１０の投入が可能な程度に上部開口部２ａを開放するように、例えば、フォークリフトの二本の爪Ｆを上部被係止部３４、３４に係止（具体的には、挿入）して、フォークリフトの二本の爪Ｆを使って、上部体３を移動させる。
移動後、図１に示すように、上部開口部２ａから容器２内に被燃焼物１０を投入する。投入後、容器２の上部開口部２ａを蓋部３１で覆うように、例えば、フォークリフトの二本の爪Ｆを上部被係止部３４、３４に係止（具体的には、挿入）して、フォークリフトの二本の爪Ｆを使って、上部体３を移動させる。
移動後、開閉窓３２を介して（開閉窓３２を開けて）種火を投入して最上部の被燃焼物１０を着火又は開閉窓３２を介して外部より最上部の被燃焼物１０を着火させる。
この着火後にあっては、少なくとも、外気連絡通路開閉手段２５により外気連絡通路２４を開いた状態にあって、被燃焼物１０の燃焼を上部から支持部材２３に向かって燃焼させる（図４参照）。
燃焼が支持部材２３の近傍に達した時、外気連絡通路開閉手段２５により外気連絡通路２４を閉じて、被燃焼物１０の燃焼を抑制して、被燃焼物１０を炭化させる。
燃焼が支持部材２３の近傍に達した時は、支持部材２３の近傍の容器２の外表面の温度、図示しない内部の燃焼状態を観察できる窓を介しての観察、実験結果で得られる燃焼時間（本実施例では、２０時間）等で得られるものである。
炭化後、上部開口部２ａを覆う蓋部３１を上部開口部２ａから被燃焼物１０の取り出しが可能な程度に上部開口部２ａを開放するように、例えば、フォークリフトの二本の爪Ｆを上部被係止部３４、３４に係止（具体的には、挿入）して、フォークリフトの二本の爪Ｆを使って、上部体３を移動させる。
移動後、上部開口部２ａから炭化した被燃焼物１０を取り出す、取り出しは、例えば、フォークリフトの二本の爪Ｆを下部被係止部２２、２２に係止（具体的には、挿入）して、フォークリフトの二本の爪Ｆを使って、容器２を徐々に倒しながら、上部開口部２ａから炭化した被燃焼物１０を取り出すことができる。なお、図６においては、上部開口部２ａから炭化した被燃焼物１０を容器２が立設した立設面に直接移したが、本願発明はこれに限らず、容器２から被燃焼物１０を取り出す際、図示しない容器へ移すようにしても良い。
また、上部体３と容器２を分離しても、傾斜通路３３ａの他方の先端が溝部２８に臨む構成、つまり、上部体３と容器２とが別体であるため、上部体３と容器２を分離しても支障を生じないようになっている。
【００２３】
なお、上述した実施例においては、被燃焼物１０の着火を開閉窓３２を介して行ったが、本願発明にあっては、これに限らず、例えば、下記のように行っても良い。
即ち、上述と同様に、上部開口部２ａから容器２内に被燃焼物１０を投入するが、投入後、上部開口部２ａを蓋部３１で覆わず、最上部の被燃焼物１０を着火させる。
着火後、容器２の上部開口部２ａを蓋部３１で覆うように、例えば、フォークリフトの二本の爪Ｆを上部被係止部３４、３４に係止（具体的には、挿入）して、フォークリフトの二本の爪Ｆを使って、上部体３を移動させる。
上部体３の移動後にあっては、少なくとも、外気連絡通路開閉手段２５により外気連絡通路２４を開いた状態にあって、被燃焼物１０の燃焼を上部から支持部材２３に向かって燃焼させる。
該燃焼が支持部材２３の近傍に達した時、上述の実施例と同様に、外気連絡通路開閉手段２５により外気連絡通路２４を閉じて、被燃焼物１０の燃焼を抑制して、被燃焼物１０を炭化させる。
炭化後、上述の実施例と同様に、上部開口部２ａを覆う蓋部３１を上部開口部２ａから被燃焼物１０の取り出しが可能な程度に上部開口部２ａを開放するように、例えば、フォークリフトの二本の爪Ｆを上部被係止部３４、３４に係止（具体的には、挿入）して、フォークリフトの二本の爪Ｆを使って、上部体３を移動させる。
移動後、上述の実施例と同様に、上部開口部２ａから炭化した被燃焼物１０を取り出すことができる。
【符号の説明】
【００２４】
１      バッチ式炭化処理装置
２      容器
２ａ    上部開口部
２ｂ    下部空間
２２    下部被係止部
２３    支持部材
２４    外気連絡通路
２５    外気連絡通路開閉手段
３      上部体
３１    蓋部
３２    開閉窓                    
３３    煙突
３４    上部被係止部
１０    被燃焼物
Ｆ      爪
【図１】
2011213927.tif 000003
【図２】
2011213927.tif 000004
【図３】
2011213927.tif 000005
【図４】
2011213927.tif 000006
【図５】
2011213927.tif 000007
【図６】
2011213927.tif 000008